【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
座標指示入力装置本体の移動を検出する検出部と、前記検出部によって検出された情報に基づいて座標指示入力信号を出力する信号処理部と、を備える座標指示入力装置において、
前記座標指示入力装置本体の移動を検出する有効状態と本体の移動を検出しない無効状態とを切り換える切換手段を備えることを特徴とする座標指示入力装置。
【請求項２】
前記座標指示入力装置は弾性体を備え、
前記弾性体が圧縮すると、前記切換手段は前記有効状態に切り換えることを特徴とする請求項１に記載の座標指示入力装置。
【請求項３】
前記切換手段は、前記有効状態と前記無効状態とを切り換える切換スイッチを備えることを特徴とする請求項１に記載の座標指示入力装置。
【請求項４】
前記座標指示入力装置は、前記平面と対向する略平面上の底面部側に前記切換スイッチを備え、
前記切換スイッチは、前記座標支持入力装置を介して荷重が加わることを特徴とする請求項３に記載の座標指示入力装置。
【請求項５】
前記切換スイッチは、前記検出部に電源を供給することによって前記有効状態に切り換え、前記検出部への電源の供給を遮断することによって前記無効状態に切り換えることを特徴とする請求項３に記載の座標指示入力装置。
【請求項６】
前記切換スイッチは、前記検出部を前記信号処理部に接続することによって前記有効状態に切り換え、前記検出部の前記信号処理部の接続を遮断することによって前記無効状態に切り換えることを特徴とする請求項３に記載の座標指示入力装置。
【請求項７】
前記座標指示入力装置に第一の荷重が加わると、前記切換手段は前記有効状態に切り換え、
前記座標支持入力装置に前記第一の荷重よりも大きな第二の荷重が加わると、前記座標指示入力装置による操作を示す操作信号を前記信号処理部に送信することを特徴とする請求項１に記載の座標指示入力装置。
【手続補正２】
【補正対象書類名】明細書
【補正対象項目名】００２９
【補正方法】変更
【補正の内容】
【００２９】
このような状況下で、ユーザがマウスの可動範囲を超えてホスト機器の画面上に表示されるカーソルを移動させる場合には、マウスの検出部がマウスの移動を検出しない状態で、マウスを移動させ、新たにマウスの可動範囲を確保する。その後、ユーザが、再度マウスを検出部がマウスの移動を検出できる状態にして、ユーザがマウスを可動範囲内で移動させて、ホスト機器の画面上に表示されるカーソルを移動させる（以下、「マウスを漕ぐ」という）。
【手続補正３】
【補正対象書類名】明細書
【補正対象項目名】００５３
【補正方法】変更
【補正の内容】
【００５３】
このように、ユーザがマウスに手の自重程度の荷重をかけると、コイルばね２ａが圧縮されて検出部５が有効状態となるので、検出部５はマウスの移動を検出する。一方、マウスにかかる荷重が手の自重よりも小さい荷重である場合には、コイルばね２ａが圧縮しきらず検出部５が無効状態となるので、検出部５はマウスの移動を検出しない。
【手続補正４】
【補正対象書類名】明細書
【補正対象項目名】００７８
【補正方法】変更
【補正の内容】
【００７８】
ユーザが足１２によって操作するので、ハウジング１は、ユーザが足１２で操作しやすい大きさ及び形状である。
【手続補正５】
【補正対象書類名】明細書
【補正対象項目名】０１０６
【補正方法】変更
【補正の内容】
【０１０６】
図１６に示すように、切換スイッチ１３は信号処理部９に接続される。図１５に示すように、切換スイッチ１３がオフの状態であると、信号処理部９は、検出部５からの検出信号ではなく、停止信号をインタフェース部に出力する。従って、検出部５がマウスの移動を検出しても、検出信号が信号処理部９によって出力されない、つまり、検出部５からの検出信号が無効化されるので、検出部５はマウスの移動を検出できない。即ち、検出部５は無効状態である。
【手続補正６】
【補正対象書類名】明細書
【補正対象項目名】０１０８
【補正方法】変更
【補正の内容】
【０１０８】
一方、足置板１３ａがユーザの足１２によってコイルばね１３ｄの付勢力に抗して踏み込まれると、接触式スイッチ１３ｃが足置板１３ａの一部と接触して切換スイッチ１３はオンの状態になる。切換スイッチ１３がオンの状態であると、信号処理部９は検出部５が検出した信号を通常通り処理する。従って、検出部５はマウスの移動を検出する。即ち、検出部５は有効状態である。
【手続補正７】
【補正対象書類名】明細書
【補正対象項目名】０１２６
【補正方法】変更
【補正の内容】
【０１２６】
ハウジング１は、その前方にはハウジング１の一部を切り欠いた切欠部を備える。切欠部は２段スイッチ１５を備える。すべり板１７及びすべり板４は低摩擦係数の材料からなる。すべり板１７は、コイルばね１６を介して２段スイッチ１５の平面７側の面に設けられる。なお、コイルばね１６はマウスを平面７に接触させた状態でマウスを平面７から離れる方向に付勢する。
【手続補正８】
【補正対象書類名】明細書
【補正対象項目名】０１３０
【補正方法】変更
【補正の内容】
【０１３０】
図２０に示すように、マウスにかかる荷重が第一の荷重より小さい荷重である場合には、コイルばね１６は圧縮しきらず、マウスの前方がコイルばね１６によって持ち上げられた状態になる。この状態では、２段スイッチ１５の切換スイッチ１３はオフの状態であり、検出部５への電源の供給が遮断される。従って、発光部５ａは発光しないので、ユーザがマウスを移動させても、検出部５はマウスの移動を検出することができない。即ち、検出部５は、無効状態である。また、２段スイッチ１５の選択スイッチ８はオフの状態であり、選択スイッチ８の操作は検出されない。
【手続補正９】
【補正対象書類名】明細書
【補正対象項目名】０１５０
【補正方法】変更
【補正の内容】
【０１５０】
図２７に示すように、マウスにかかる荷重が手３の自重よりも小さい荷重である場合には、板ばね２０ｂは圧縮されずに、ボール１０が平面７に接触しないので、検出部はマウスの移動を検出しない。即ち、検出部は無効状態である。また、選択スイッチ１９の押釦とボール１０は離れているので、選択スイッチ１９はオフの状態であり、選択スイッチ１９の操作は検出されない。
【手続補正１０】
【補正対象書類名】明細書
【補正対象項目名】０１５１
【補正方法】変更
【補正の内容】
【０１５１】
図２８に示すように、マウスに手３の自重程度の荷重が加えられると、板ばね２０ｂは圧縮され、ボール１０が平面７に接触する。従って、マウスの移動によってボール１０が回転可能になって、検出部はマウスの移動を検出することができる。即ち検出部は有効状態である。また、選択スイッチ１９の押釦とボール１０は離れているので、選択スイッチ１９はオフの状態であり、選択スイッチ１９の操作は検出されない。
【手続補正１１】
【補正対象書類名】明細書
【補正対象項目名】０１５２
【補正方法】変更
【補正の内容】
【０１５２】
図２９に示すように、マウスに手３の自重より大きい所定の荷重が加えられた場合には、板ばね２０ｂは更に圧縮される。ボール１０が平面７に接触する。従って、マウスの移動によってボール１０が回転可能になって、検出部はマウスの移動を検出することができる。即ち検出部は有効状態である。また、選択スイッチ１９はボール１０によって押圧されるので、選択スイッチ１９はオンの状態であり、選択スイッチ１９の操作は検出される。
【手続補正１２】
【補正対象書類名】明細書
【補正対象項目名】０１５６
【補正方法】変更
【補正の内容】
【０１５６】
本発明の第１１の実施の形態を図３０から図３２を参照して説明する。なお、第１１の実施の形態は、光学式マウスにおいて、マウスにかかる荷重によって検出部を有効状態にし、選択スイッチ１９を操作できるようにしたものである。なお、第１の実施の形態と同じ構成は同じ符号を付与し、説明を省略する。
【手続補正１３】
【補正対象書類名】明細書
【補正対象項目名】０１５８
【補正方法】変更
【補正の内容】
【０１５８】
切換スイッチ１３は押釦スイッチを備える。切換スイッチ１３は、所定の第一の荷重が加えられると、コイルばね４ａが圧縮されてすべり板４が切換スイッチ１３の押釦を押圧し、切換スイッチ１３はオン状態になる。切換スイッチ１３がオンの状態であると、検出部５は電源に接続される。切換スイッチ１３がオフの状態であると、検出部５は電源に接続されない。
【手続補正１４】
【補正対象書類名】明細書
【補正対象項目名】０１６０
【補正方法】変更
【補正の内容】
【０１６０】
選択スイッチ２１は押釦スイッチを備える。選択スイッチ２１は、第一の荷重より大きな第二の荷重が加えられると、コイルばね２２ａが圧縮されて、手載せ台２２が選択スイッチ２１の押釦を押圧し、選択スイッチ２１はオン状態になる。選択スイッチ２１がオンの状態であると、信号処理部９に選択スイッチの入力信号が送信される。選択スイッチ２１がオフの状態であると、信号処理部９に選択スイッチの入力信号が送信されない。
【手続補正１５】
【補正対象書類名】明細書
【補正対象項目名】０１６１
【補正方法】変更
【補正の内容】
【０１６１】
図３０に示すように、マウスにかかる荷重が第一の荷重よりも小さい荷重である場合には、コイルばね４ａは圧縮されずに、マウスはコイルばね４ａによって前方が持ち上げられた状態である。また、コイルばね２２ａは圧縮されずに、手載せ台２２はコイルばね２２ａによって前方が持ち上げられた状態である。従って、切換スイッチ１３及び選択スイッチ２１はオフの状態である。即ち、切換スイッチ１３がオフの状態であるので、検出部５には電源が接続されず、検出部５には電源が供給されない。つまり、検出部５は無効状態である。また、選択スイッチ２１もオフの状態であるので、信号処理部９に選択スイッチ２１からの信号が送信されない。
【手続補正１６】
【補正対象書類名】明細書
【補正対象項目名】０１６２
【補正方法】変更
【補正の内容】
【０１６２】
図３１に示すように、マウスにかかる荷重が第１の荷重よりも大きく、第２の荷重よりも小さい荷重の場合には、コイルばね４ａは圧縮され、ハウジング１の底面部が平面７と略平行になり、ハウジング１の底面部と平面７の距離がｈ１となる。また、コイルばね４ａが圧縮されて、切換スイッチ１３の押釦を押圧するので、切換スイッチ１３はオンの状態である。従って、検出部５に電源が接続されて、検出部５に電源が供給される。従って、検出部５はマウスの移動を検出する有効状態である。
【手続補正１７】
【補正対象書類名】明細書
【補正対象項目名】０１６４
【補正方法】変更
【補正の内容】
【０１６４】
図３２に示すように、マウスに第一の荷重より大きな第二の荷重が加えられると、コイルばね４ａは圧縮された状態を保ち、ハウジング１の底面部と平面７の距離はｈ１のままである。またコイルばね４ａが圧縮された状態を保ち、切換スイッチ１３の押釦を押圧するので、切換スイッチ１３はオンの状態である。従って、検出部５に電源が接続されて、検出部５に電源が供給される。従って、検出部５はマウスの移動を検出する有効状態である。